(57)【要約】【課題】柵部材の位置を調整することが可能なベッドを提供する。軽量化をも図り得るようにする。【解決手段】床面上に載置される基部フレームと、基部フレームの上方に配置された、全体として長矩形状をなすように長尺材を組み合わせて作られた昇降フレームと、昇降フレームを、前記基部フレームに対して昇降可能に支持する昇降支持機構と、昇降フレームを昇降させるための昇降駆動装置と、昇降フレームの幅方向の少なくとも一方の側に、昇降フレームの長さ方向に沿って直立状に配設される１以上の柵部材とを有し、昇降フレームにおける長さ方向に沿った少なくとも一方の長辺部に、柵部材を着脱可能に支持するための複数の柵受け部材が配設され、かつ各柵受け部材が、昇降フレームの長辺部の長さ方向に位置調整可能に取り付けられていることを特徴とするベッド。【選択図】図１
2016131629.tif 000002
【特許請求の範囲】
【請求項１】
床面上に載置される基部フレームと、
前記基部フレームの上方に配置された、全体として長矩形状をなすように、長尺材を組み合わせて作られた昇降フレームと、
前記昇降フレームを、前記基部フレームに対して昇降可能に支持する昇降支持機構と、
前記昇降フレームを昇降させるための昇降駆動装置と、
前記昇降フレームの幅方向の少なくとも一方の側に、昇降フレームの長さ方向に沿って直立状に配設される１以上の柵部材と、
を有し、
前記昇降フレームにおける長さ方向に沿った少なくとも一方の長辺部に、前記柵部材を着脱可能に支持するための複数の柵受け部材が配設され、かつ各柵受け部材が、前記昇降フレームの長辺部の長さ方向に位置調整可能に取り付けられていることを特徴とするベッド。
【請求項２】
前記昇降フレームの長辺部が、その長さ方向に沿う溝部を有しており、柵受け部材の一部が前記溝部にスライド可能に挿入されていることを特徴とする請求項１に記載のベッド。
【請求項３】
前記溝部が、前記長辺部の外側壁面の側に開口するように形成されており、且つその溝部は、内奥部が開口部よりも拡大するように形成され、また前記柵受け部材における前記溝部に挿入される部分には、前記拡大された内奥部に対応する拡大頭部が形成されていることを特徴とする請求項２に記載のベッド。
【請求項４】
前記長尺材がアルミニウム合金からなることを特徴とする請求項１〜３のいずれかの請求項に記載のベッド。
【請求項５】
前記長尺材がアルミニウム合金の押出し材からなることを特徴とする請求項４に記載のベッド。
【発明の詳細な説明】
【技術分野】
【０００１】
本発明は、一般家庭や介護施設、養護施設、そのほか医療機関などにおいて、被介護者や患者等が使用するためのベッドに関するものである。
【背景技術】
【０００２】
最近では要介護者の数が増加し、一般家庭においても介護用ベッド（在宅介護用ベッド）を使用する機会が増加している。その場合、一般には在宅介護用ベッドを、業者からレンタルもしくはリースして使用することが多い。
この種の在宅介護用ベッドとしては種々の形式のものがあるが、例えば特許文献１に示されているように、ベッド本体状のマットレスを受ける床板を昇降フレームによって支持して、必要に応じて床板を昇降させたり、傾動させたりし得るようにしたベッドが一般的である。この種の在宅介護用ベッドの従来の代表例を、図２２に原理的に示す。
【０００３】
図２２において、ベッド本体１０は、基本的には、床面１２上に載置される基部フレーム１４と、基部フレーム１４の上方に配置される昇降フレーム１６と、昇降フレーム１６を、基部フレームに対して昇降可能に支持する昇降支持機構１８、例えば昇降リンク機構と、その昇降リンク機構１８を作動させて昇降フレーム１６を昇降させるための図示しない昇降駆動装置とを有する構成とされる。基部フレーム１４及び昇降フレーム１６は、いずれも平面的に見て全体として長矩形状をなすように作られる。そこで以下では、基部フレーム１４及び昇降フレーム１６の長さ方向を、ベッド本体１０の長さ方向と称する。ここで、ベッド本体１０の長さ方向とは、一般には、利用者がベッド上に寝た際の、利用者の頭部と脚部とを結ぶ方向に相当する。
【０００４】
昇降フレーム１６の長さ方向の一端側には、利用者の頭部延長上の位置に対応してヘッドボード２２が設けられ、昇降フレーム１６の長さ方向の他端側には、利用者の脚部延長上の位置に対応してフットボード２４が設けられるのが通常である。さらに、昇降フレーム１６の幅方向（短手方向）の両側もしくは一方の側の所定の箇所には、ベッド利用者がベッドから落下することを防止し、併せてベッド利用者が入床時や離床時に掴むことが可能となるように、１又は２以上の柵部材２６が直立状に設けられるのが通常である。
【０００５】
また昇降フレーム１６上には、マットレスを受ける床板２０が載置されるのが一般的であり、またこの床板２０は、折り曲げ可能となるように、床板２０をベッド本体１０の長さ方向に複数に分割して、その複数の床板分割片２０Ａ、２０Ｂの相互間を回動可能に連結した構成とされるのが通常である。そしてその場合、昇降フレーム１６には、床板２０を構成している床板分割片２０Ａ、２０Ｂのうち、中央の床板分割片２０Ｂを除く複数の分割片２０Ａの１又は２以上を傾動及び／又は上昇させるための電動モータなどからなる図示しない床板作動用アクチュエータユニットが搭載されるのが通常である。ここで、床板分割片２０Ａのうちの１又は２以上の分割片を傾動及び／又は上昇させるとは、利用者の上半身に相当する部分を持ち上げる操作（いわゆる背上げ操作）や、利用者の脚部に相当する部分を持ち上げる操作（いわゆる脚上げ操作）を意味する。
【先行技術文献】
【特許文献】
【０００６】
【特許文献１】特開２００９−２０７６４３号公報
【発明の概要】
【発明が解決しようとする課題】
【０００７】
在宅介護用のベッドにおいては、ベッド利用者（被介護者）の離床時、入床時などにおける動作の習慣や癖、あるいはベッド利用者の就寝中の動き、さらには介護者の都合、またベッド設置個所の制約などによっては、柵部材の位置を変えたり、調整したりすることが望まれることがある。しかしながら従来の一般的な在宅介護用ベッドでは、柵部材の位置が固定されており、そのためこれらの要望に応えることができなかったのが実情である。
【０００８】
さらに、従来の一般的な在宅介護用ベッドは、その主要構造部分、例えば基部フレーム１４、昇降フレーム１６、及び昇降リンク機構１８を、鋼材によって構成したものがほとんどである。そのためベッド全体の重量が大きいばかりでなく、各部分の重量も大きく、在宅介護用ベッドを一般家庭に搬入して組み立てる際には、大きな労力を要しているのが実情である。
【０００９】
本発明は以上の事情を背景としてなされたもので、柵部材の位置を調整することが可能なベッドを提供することを課題とするものである。さらに、ベッド本体の軽量化を図り得るようにすることも課題としている。
【課題を解決するための手段】
【００１０】
具体的には、本発明の基本的な態様（第１の態様）によるベッドは、
床面上に載置される基部フレームと、
前記基部フレームの上方に配置された、全体として長矩形状をなすように、長尺材を組み合わせて作られた昇降フレームと、
前記昇降フレームを、前記基部フレームに対して昇降可能に支持する昇降支持機構と、
前記昇降フレームを昇降させるための昇降駆動装置と、
前記昇降フレームの幅方向の少なくとも一方の側に、昇降フレームの長さ方向に沿って直立状に配設される１以上の柵部材と、
を有し、
前記昇降フレームにおける長さ方向に沿った少なくとも一方の長辺部に、前記柵部材を着脱可能に支持するための複数の柵受け部材が配設され、かつ各柵受け部材が、前記昇降フレームの長辺部の長さ方向に位置調整可能に取り付けられていることを特徴とするものである。
【００１１】
上記第１の態様のベッドにおいては、柵受け部材が、昇降フレームの長さ方向に位置調整可能であり、したがって柵受け部材によって支持される柵部材の位置を、ベッド利用者や介護者などの都合や要望、あるいはベッド設置個所の制約などに応じて昇降フレームの長さ方向に調整することができる。
【００１２】
また本発明の第２の態様によるベッドは、
第１の態様のベッドにおいて、
前記昇降フレームの長辺部が、その長さ方向に沿う溝部を有しており、柵受け部材の一部が前記溝部にスライド可能に挿入されていることを特徴とするものである。
【００１３】
さらに本発明の第３の態様によるベッドは、
第２の態様のベッドにおいて、
前記溝部が、前記長辺部の外側壁面の側に開口するように形成されており、且つその溝部は、内奥部が開口部よりも拡大するように形成され、また前記柵受け部材における前記溝部に挿入される部分には、前記拡大された内奥部に対応する拡大頭部が形成されていることを特徴とするものである。
【００１４】
さらに本発明の第４の態様のベッドは、
第１〜第３のいずれかの態様のベッドにおいて、
前記長尺材がアルミニウム合金からなることを特徴とするものである。
【００１５】
このような第４の態様のベッドにおいては、昇降フレームがアルミニウム合金の長尺材によって作られているため、従来の鋼材主体のベッドと比較して格段に軽量化を図ることができる。なお基部フレームについてはその材質を規定していないが、基部フレームにもアルミニウム合金を使用することによって、より一層の軽量化を図ることが可能であり、さらには昇降支持機構に使用される部材、例えばリンク片やアームなどについても、アルミニウム合金を使用することによって、さらなる軽量化を図ることが可能である。
【００１６】
また本発明の第５の態様のベッドは、
第４の態様のベッドにおいて、
前記長尺材がアルミニウム合金の押出し材からなることを特徴とするものである。
【００１７】
ここで、昇降フレームの長辺部に柵受け部材を長さ方向にスライド可能に取り付けるためには、長辺部の断面形状を比較的複雑な形状とする必要があることが多いが、アルミニウム合金の押出し材であれば、容易に複雑な断面形状を有する長辺部を得ることが可能である。
【発明の効果】
【００１８】
本発明のベッドによれば、柵部材の位置を昇降フレームの長さ方向に調整することができるため、この種のベッド利用者や介護者などの都合や要望、あるいはベッド設置個所の制約などに応じることができ、利便性が高い。また昇降フレームを構成する長尺材としてアルミニウム合金を用いた場合は、ベッド本体の軽量化を図ることができ、そのためベッド本体の運搬や搬入、組み立てなどの労力を軽減できる。
【図面の簡単な説明】
【００１９】
【図１】本発明の一実施形態のベッドの全体を概略的に示す正面図である。
【図２】図１に示される実施形態のベッドの概略的な平面図である。
【図３】図１に示される実施形態のベッドの概略的な左側面図である。
【図４】本発明の一実施形態のベッドにおける昇降フレームを示す略解的な平面図である。
【図５】図４に示される昇降フレームにおける長辺部の一部を拡大して示す模式的な斜視図である。
【図６】図５におけるＶＩ−ＶＩ線での、昇降フレームの長辺部の縦断面図である。
【図７】図５に示される長辺部の長さ調整後の位置固定手段の一例を説明するための模式的な斜視図である。
【図８】図５に示される長辺部の長さ調整後の位置固定手段の別の例を説明するための模式的な断面図である。
【図９】昇降フレームの長辺部の断面形状の他の例を、図６と同様な位置で示す断面図である。
【図１０】昇降フレームの長辺部の断面形状のさらに別の例を、図６と同様な位置で示す断面図である。
【図１１】図４に示される昇降フレームにおける床板作動用アクチュエータユニットの取り付け状況の一例を示す概略的な斜視図である。
【図１２】本発明の一実施形態のベッドにおける昇降フレームに取り付けられる柵受け部材の第１の例を示す斜視図である。
【図１３】図１２に示される第１の例の柵受け部材を昇降フレームの長辺側分割フレーム片に取り付けた状態を示す斜視図である。
【図１４】本発明の一実施形態のベッドにおける昇降フレームに取り付けられる柵受け部材の第２の例を示す斜視図である。
【図１５】本発明の一実施形態のベッドにおける昇降フレームに取り付けられる柵受け部材の第３の例を示す斜視図である。
【図１６】柵受け部材を昇降フレームの長辺側分割フレーム片に固定する状況の第１の例を示す斜視図である。
【図１７】柵受け部材を昇降フレームの長辺側分割フレーム片に固定する状況の第２の例に使用される柵受け部材を示す斜視図である。
【図１８】柵受け部材を固定する状況の上記第２の例として、図１７に示される柵受け部材を昇降フレームの長辺側分割フレーム片に固定する状況を示す部分的な正面図である。
【図１９】柵受け部材を昇降フレームの長辺側分割フレーム片に固定する状況の第３の例に使用される柵受け部材を示す斜視図である。
【図２０】柵受け部材を固定する状況の上記第３の例として、図１９に示される柵受け部材を昇降フレームの長辺側分割フレーム片に固定する状況を示す部分的な正面図である。
【図２１】本発明の他の実施形態のベッドに使用される昇降フレームの概略的な平面図である。
【図２２】従来の在宅介護用ベッドの一例を示す概略的な正面図である。
【発明を実施するための形態】
【００２０】
以下、本発明の実施形態のベッドについて、図面を参照して詳細に説明する。なお、以下に示す実施形態は例示に過ぎず、本発明がこれらの実施形態に限定されないことはもちろんである。
【００２１】
図１〜図３は、本発明の一実施形態のベッドの本体部分（ベッド本体）２０を原理的に示す図である。なお図１、図２では、煩雑さを避けるため、柵部材２６を取り外した状態で示し、柵部材２６を取り付けた状態については、鎖線（仮想線）で描いている。
ベッド本体１０は、全体的には、従来技術として示した図２２のベッド本体と同様に、床面１２上に載置される基部フレーム１４と、基部フレーム１４の上方に配置される昇降フレーム１６と、昇降フレーム１６を、基部フレームに対して昇降可能に支持する昇降支持機構１８、例えば昇降リンク機構と、その昇降リンク機構１８を作動させて昇降フレーム１６を昇降させるための図示しない昇降駆動装置とを有する構成とされている。
【００２２】
基部フレーム１４は、長尺材、例えばアルミニウム合金の押出し材を組み合わせて、平面視で全体的に長矩形状をなすように作られている。なおこの基部フレーム１４の四隅には、キャスタ３０が取り付けられるのが通常である（図１では二つのキャスタのみ示す）。
また昇降フレーム１６も、長尺材、望ましくはアルミニウム合金の押出し材を組み合わせて、全体的には、平面視で長矩形状をなすように作られている。この昇降フレーム１６の具体的構成については、後に改めて図４以下を参照して詳細に説明する。
昇降支持機構１８は、本実施形態では、最も簡易的な例として、いわゆる平行リンク機構の構成で示しているが、昇降支持機構１８の具体的構成は特に限定されるものではなく、要は昇降フレーム１６を昇降させ得るように支持する構成とすればよく、複数のリンクを組み合わせた構成、あるいはＸ状のリンク機構など、公知の昇降支持機構を適用することができる。なお昇降支持機構１８を構成する各リンク片やアームは、昇降フレーム１６と同様に、アルミニウム合金の押出し材によって構成することが望ましい。
さらに昇降駆動装置の具体的構成も特に限定されるものではなく、例えば昇降支持機構１８における傾動可能なリンク片やアームを、電動モータや流体圧シリンダ等によって傾動もしくは回動させる構成とすればよい。
【００２３】
さらに図１〜図３のベッド本体１０においては、昇降フレーム１６の長さ方向の一端側にヘッドボード２２が着脱可能となるように直立状に設けられ、昇降フレーム１６の長さ方向の他端側にフットボード２４が着脱可能となるように直立状に設けられている。さらに昇降フレーム１６の長さ方向に沿った両側には、それぞれ四隅近くの位置に柵部材２６が、着脱可能となるように直立状に取り付けられる。
昇降フレーム１６上には、床板２０が載置される。この床板２０は、折り曲げ可能となるように、ベッド本体１０の長さ方向に複数に分割して、その複数の床板分割片２０Ａ、２０Ｂの相互間を回動可能に連結した構成とされている。図示の例では、長さ方向中央の基部分割片２０Ｂの両側にそれぞれ直列上に二つの分割片２０Ａを結合して、全体として五つの分割片２０Ａ、２０Ｂで構成した例を示している。そして昇降フレーム１６には、複数の床板分割片２０Ｂのうちの１又は２以上の分割片を傾動及び／又は上昇させるための電動モータなどからなる床板作動用アクチュエータユニット２８（図１には示していないが、後述する図４には示している）が搭載されている。
【００２４】
本実施形態における昇降フレーム１６の具体的構成について、図４〜図６を参照して詳細に説明する。
【００２５】
昇降フレーム１６は、全体的には長矩形枠状をなすものであって、一対の長辺部１６Ａ、１６Ｂと、一対の短辺部１６Ｃ、１６Ｄを長四角状に組み合わせた構成とされている。
前記一対の長辺部１６Ａ、１６Ｂは、それぞれその長さが調整可能となるように、長さ方向（ベッド本体の長さ方向に相当）に複数（図示の例では三つ）のフレーム片（長辺側分割フレーム片）１６１、１６２、１６３に分割した構成とされている。言い換えれば、各長辺部１６Ａ、１６Ｂは、それぞれ複数（図示の例では三つ）の長辺側分割フレーム片１６１、１６２、１６３を、それぞれの結合部分（後述する挿入部分に相当）１６７で長さ調整可能となるように、直列状に連結した構成とされている。そして前記一対の長辺部１６Ａ、１６Ｂを構成する長辺側分割フレーム片１６１、１６２、１６３のうち、中央部分の長辺側分割フレーム片１６２の上面には、床板２０を取り付けるためのネジ６０が設けられている。
【００２６】
また一対の短辺部１６Ｃ、１６Ｄも、それぞれその長さが調整可能となるように、長さ方向（ベッド本体の長さ方向に相当）に複数（図示の例では三つ）のフレーム片（短辺側分割フレーム片）１６４、１６５、１６６に分割した構成とされている。言い換えれば、各短辺部１６Ａ、１６Ｂは、それぞれ複数（図示の例では三つ）の短辺側分割フレーム片１６４、１６５、１６６を、それぞれの結合部分（後述する挿入部分に相当）１６８において長さ調整可能となるように、直列状に連結した構成とされている。そして一方の短辺部１６Ａを構成する短辺側分割フレーム片１６４、１６５、１６６のうち、両端側の短辺側分割フレーム片１６４、１６６の上面には、フットボード２４を取り付けるための軸孔６２が形成され、また他方の短辺部１６Ａを構成する短辺側分割フレーム片１６４、１６５、１６６のうち、両端側の短辺側分割フレーム片１６４、１６６の上面には、ヘッドボード２２を取り付けるための軸孔６４が形成されている。
【００２７】
さらに前記一対の長辺部１６Ａ、１６Ｂの間（一対の長辺側分割フレーム片１６２の間）には、一対の中間フレーム片１６Ｅ、１６Ｆが、長辺部１６Ａ、１６Ｂの長さ方向と平行となるように、間隔を置いて配設されている。これら中間フレーム片１６Ｅ、１６Ｆは、床板作動用アクチュエータユニット２８を支持するためのものであり、長尺材、望ましくはアルミニウム合金の押出し材によって作られている。そして中間フレーム片１６Ｅ、１６Ｆは、長辺部１６Ａ、１６Ｂのうちの中央部の一対の長辺側分割フレーム片１６２に、それぞれ一対の中間結合部１７Ａ、１７Ｂによって連結されている。これらの中間結合部１７Ａ、１７Ｂは、それぞれ長辺側分割フレーム片１６２から突出する長辺側結合片１７２と前記中間フレーム片から突出する中間フレーム側結合片１７１とによって構成され、これら中間フレーム側結合片１７１と長辺側分割フレーム片１７２とが、中間結合部１７Ａ、１７Ｂの長さを調整可能となるように結合されている。
【００２８】
床板作動用アクチュエータユニット２８は、前述の床板を構成している複数の床板分割片のうちの１又は２以上の分割片を傾動及び／又は上昇させるためのものであって、電動モータ等の駆動源を含むアクチュエータ本体部２８Ａと、このアクチュエータ本体部２８Ａから昇降フレーム１６の幅方向（短手方向）に延出する例えば４本の支持軸部２８Ｂと、アクチュエータ本体部２８Ａによって傾動もしくは回動されて複数の床板分割片のうちの１又は２以上の分割片を持ち上げるための図示しない複数本の作動アームとによって構成されている。そして上記の支持軸部２８Ｂの先端部が、中間フレーム片１６Ｅ、１６Ｆに着脱可能に取り付けられるようになっている。
【００２９】
ここで、各長辺側分割フレーム片１６１、１６２、１６３の詳細は次の通りである。
各長辺側分割フレーム片１６１、１６２、１６３は、いずれも長尺材、望ましくはアルミニウム合金の押出し材によって、長さ方向に対して直交する断面の外形の輪郭が、全体として矩形状もしくは矩形状に近い形状をなし、且つ中空でしかもその長さ方向に沿う溝が、ベッド本体の外側に相当する側面側に形成された形状とされている。
【００３０】
具体的な長辺側分割フレーム片の形状の例について、図５、図６を参照して説明する。なお図５、図６では、各長辺側分割フレーム片１６１、１６２、１６３のうち、長辺側分割フレーム片１６１、１６２について、それらの結合部分（挿入部分に相当）１６７近辺の状況、及びその部分でスライド調整可能とするための構成を示している。
【００３１】
一方の長辺側分割フレーム片１６１は、全体として断面略矩形状をなして、内側に中空部分１６１Ａが形成されており、その中空部分１６１Ａは長さ方向に連続している。また長辺側分割フレーム片１６１の外側面側には、長さ方向に連続する溝部１６１Ｂが形成されている。この溝部１６１Ｂは、その内奥部１６１Ｂaが、外側面側開口部１６１Ｂbよりも拡大するように形成されている。
【００３２】
また他方の長辺側分割フレーム片１６２も、寸法の点を除き、一方の長辺側分割フレーム片１６１と同様な形状を有している。すなわち、全体として断面略矩形状をなして、内側に中空部分１６２Ａが形成されており、その中空部分１６２Ａは長さ方向に連続している。また長辺側分割フレーム片１６２の外側面側には、長さ方向に連続する溝部１６２Ｂが形成されている。この溝部１６２Ｂは、その内奥部１６２Ｂaが、外側面側開口部１６２Ｂbよりも拡大するように形成されている。
【００３３】
そして一方の長辺側分割フレーム片１６１は、その外形寸法が他方の長辺側分割フレーム片１６２の中空部分１６２Ａの内形寸法よりもわずかに小さくなるように定められていて、一方の長辺側分割フレーム片１６１の端部が、他方の長辺側分割フレーム片１６２の中空部分１６２Ａに挿入されている。これによって、一方の長辺側分割フレーム片１６１と他方の長辺側分割フレーム片１６２とは、それらの長さ方向に沿って、相対的にスライド可能となっている。
【００３４】
上記のところでは、長辺側分割フレーム片１６１、１６２の形状及び相互の関係を説明したが、長辺側分割フレーム片１６３も同様な形状とされており、且つ前記一方の長辺側分割フレーム片１６１と同様な寸法で、その端部が前記他方の長辺側分割フレーム片１６２の中空部分１６２Ａの中空部分１６２Ａに挿入され、これによって長辺側分割フレーム片１６２と長辺側分割フレーム片１６３とは、それらの長さ方向に沿って、相対的にスライド可能となっている。
【００３５】
以上のような長辺側分割フレーム片１６１、１６２、１６３の相互間のスライドによって、昇降フレームの長辺部１６Ａ、１６Ｂの長さが調整可能となっている。さらに長辺側分割フレーム片１６１、１６２、１６３は、スライド調整を行った後に、その状態を固定、保持し得るように、保持手段を設けておくことが望ましい。その場合の保持手段の一例について、図７を参照して説明する。
【００３６】
図７は、図５と同様に、各長辺側分割フレーム片１６１、１６２、１６３のうち、長辺側分割フレーム片１６１、１６２について、それらの結合部分（挿入部分に相当）１６７近辺の状況、及びその部分でスライド調整後に調整位置の保持を可能とするための構成を示している。
【００３７】
図７において、一方の長辺側分割フレーム片１６１における、他方の長辺側分割フレーム片１６２に近い側の端部の外側面壁部には、所定間隔を置いて複数（図示の例では上下各３個、合計６個）の穴３０が形成されており、他方の長辺側分割フレーム片１６２における、一方の長辺側分割フレーム片１６１に近い側の端部の外側面壁部にも、所定間隔を置いて複数（図示の例では上下各３個、合計６個）の穴３２が形成されている。
そして、一方の長辺側分割フレーム片１６１の端部を他方の長辺側分割フレーム片１６２の中空部分に挿入して、それらの位置関係をスライド調整した後、これらの穴３０、３２に、ピン３４を貫通させ、抜け止めクリップ３６によって保持する構成とされている。
なお一方の長辺側分割フレーム片１６１における、他方の長辺側分割フレーム片１６２から離れた側の端部の外側面壁部にも、所定間隔を置いて複数（図示の例では上下各２個、合計４個）の穴３８が形成されている。これらの穴３８は、ベッド本体を組み立てていない状態において、一方の長辺側分割フレーム片１６１のほぼ全長部分あるいは一部を他方の長辺側分割フレーム片１６２の中空部分に収納した際に、一方の長辺側分割フレーム片１６１が、他方の長辺側分割フレーム片１６２から滑り出ないように保持するためのものであり、前記と同様に、穴３８と孔３２にピン３４を挿通させて、抜け止めクリップ３６によって保持することができる。
【００３８】
なおまた、図７の例では、ピン３４および抜け止めクリップ３６によって調整位置を保持する構成としているが、図８に示しているように、内側に位置する長辺側分割フレーム片１６１の外側面側壁部にポップナット４０を取り付けておき、外側の長辺側分割フレーム片１６２の穴３２にボルト４２を挿入して、ボルト４２をポップナット４０に捻じ込むことにより保持するように構成してもよい。
【００３９】
上記のところでは、長辺側分割フレーム片１６１、１６２の結合部分（挿入部分）におけるスライド調整後の位置保持手段について説明したが、長辺側分割フレーム片１６２と長辺側分割フレーム片１６３との間の結合部分（挿入部分）におけるスライド調整後の位置保持手段も、同様に構成し得ることはもちろんである。
【００４０】
なお長辺側分割フレーム片１６１、１６２，１６３の断面形状は、図６に示した形状に限らず、図９に示すような断面形状、あるいは図１０に示すような断面形状としてもよい。要は、相互間で容易にスライドさせることができ、しかも相互間で実質的にガタが生じない程度に密に嵌合するような断面形状とすればよい。
【００４１】
以上、長辺部１６Ａ、１６Ｂを構成する長辺側分割フレーム片１６１、１６２、１６３におけるスライド位置調整及び調整後の位置保持について説明したが、短辺部１６Ｃ、１６Ｄを構成する短辺側分割フレーム片１６４、１６５、１６６におけるスライド位置調整及び調整後の位置保持についても、長辺部１６Ａ、１６Ｂと同様に構成される。すなわち各短辺側分割フレーム片１６４、１６５、１６６も、長尺材、望ましくはアルミニウム合金の押出し材からなるものであって、図には示していないが、その長さ方向に沿って中空部分が形成されるとともに、断面が相似形状に作られ、また例えば両側の短辺側分割フレーム片１６４、１６６の外形寸法が、中央の短辺側分割フレーム片１６５の中空部分の内径寸法よりもわずかに小さい寸法に作られている。そして両側の短辺側分割フレーム片１６４、１６６の端部が中央の短辺側分割フレーム片１６５の中空部分にその端部側から挿入され、スライドさせることによって長さ調整可能となっている。また同じく図には示していないが、例えば図７あるいは図８に示した構成に準じて、位置調整後の保持手段を設けておくことが望ましい。
【００４２】
なお短辺部１６Ｃ、１６Ｄを構成する短辺側分割フレーム片１６４、１６５、１６６は、長辺部１６Ａ、１６Ｂを構成する長辺側分割フレーム片１６１、１６２、１６３とは異なり、外側面側において長さ方向に沿う溝部は必ずしも必要ではない。これは、長辺側分割フレーム片１６１、１６２、１６３における溝部１６１Ｂ、１６２Ｂ，１６３Ｂは、後述するように、柵部材２６を位置調整可能に保持するために形成したものであって、短辺側には通常は柵部材２６が不要であるからである。したがって、短辺側分割フレーム片１６４、１６５、１６６の断面形状は、溝部のない単純な矩形状であってもよい。但し、剛性を確保する観点からは、長辺側分割フレーム片１６１、１６２、１６３と同様な溝部を形成してもよい。
【００４３】
さらに、図４に示したように、床板作動用アクチュエータユニット２８を支持する中間フレーム片１６Ｅ、１６Ｆと長辺側分割フレーム片１６２の間を結ぶ中間結合部１７Ａ、１７Ｂは、長辺側結合片１７２と中間フレーム側結合片１７１とによって構成されており、これら中間フレーム側結合片１７１と長辺側結合片１７２とが、中間フレーム片１６Ｅ、１６Ｆの長さを調整可能となるように結合されている。この長さ調整手段としても、前記と同様なスライド機構を適用している。すなわち、長辺側結合片１７２と中間フレーム側結合片１７１も、図示はしていないが、長さ方向に沿って中空部分が形成されるとともに、断面が相似形状に作られ、また例えば中間フレーム側結合片１７１の外形寸法が、長辺側結合片１７２の中空部分の内径寸法よりもわずかに小さい寸法に作られている。そして中間フレーム側結合片１７１の端部が長辺側結合片１７２の中空部分にその端部側から挿入され、スライドさせることによって長さ調整可能となっている。また同じく図には示していないが、例えば図７あるいは図８に示した構成に準じて、位置調整後の保持手段を設けておくことが望ましい。なお、上記の長辺側結合片１７２と中間フレーム側結合片１７１も、アルミニウム合金の押出し材によって作られたものとすることが望ましい。
【００４４】
なお中間結合部１７Ａ、１７Ｂを構成する長辺側結合片１７２と中間フレーム側結合片１７１も、長辺部１６Ａ、１６Ｂを構成する長辺側分割フレーム片１６１、１６２、１６３とは異なり、側面側において長さ方向に沿う溝部は必ずしも必要ではない。したがって、長辺側結合片１７２と中間フレーム側結合片１７１の断面形状は、溝部のない単純な矩形状であってもよい。
【００４５】
また図１１には、床板作動用アクチュエータユニット２８を中間フレーム片１６Ｅ、１６Ｆ、例えば中間フレーム片１６Ｆに取り付けるための構成の一例を示す。
図１１において、床板作動用アクチュエータユニット２８の支持軸部２８Ｂの先端近傍には、その支持軸部２８Ｂから外周上に突出する連結部２８Ｃが形成され、一方中間フレーム片１６Ｆの内側面には、連結部２８Ｃを受ける受け部５０が設けられ、その受け部５０において連結部２８Ｃを着脱可能に支持する構成とされている。
【００４６】
以上のような実施形態の構成によって、昇降フレーム１６の長さを調整することが可能となり、またその幅を調整することができる。すなわち昇降フレーム１６の長さ方向へは、一対の長辺部１６Ａ、１６Ｂを構成している長辺側分割フレーム片１６１、１６２、１６３をスライドさせることによって、調整することができ、一方昇降フレーム１６の幅方向へは、一対の短辺部１６Ｃ、１６Ｄを構成する短辺側分割フレーム片１６４、１６５、１６６をスライド調整するとともに、中間結合部１７Ａ、１７Ｂを構成する長辺側結合片１７２と中間フレーム側結合片１７１をスライド調整することによって、調整することができる。そのため、長さや幅が異なる種々のサイズの床板について、単一の昇降フレーム１６によって対応することができる。
【００４７】
再び図４に戻れば、昇降フレーム１６の一対の長辺部１６Ａ、１６Ｂの外側面側には、柵部材２６を着脱可能に支持するための複数（図示の例では各長片部についてそれぞれ４個、合計８個）の柵受け部材４４が、長辺部１６Ａ、１６Ｂの長さ方向に間隔を置いて配設されている。本例では、長辺部１６Ａ、１６Ｂを構成している長辺側分割フレーム片１６１、１６２、１６３のうち、中央の長辺側分割フレーム片１６２の両端近くにそれぞれ柵受け部材４４が配設され、また両端側の長辺側分割フレーム片１６１、１６３の端部近くに柵受け部材４４が配設されている。これらの棚受け部材４４は、長辺部１６Ａ、１６Ｂの長さ方向に位置調整可能であればよく、本例では、長辺側分割フレーム片１６１、１６２、１６３の外側面側に形成された溝部１６１Ｂ、１６２Ｂ，１６３Ｂを利用して、位置調整可能としている。
【００４８】
柵受け部材４４の具体的構成の第１の例を図１２に示し、その柵受け部材４４を、例えば長辺側分割フレーム片１６１に取り付けた状況を図１３に示す。なお図１３では、長辺側分割フレーム片１６１の断面形状は、図１０に示した断面形状と同様な断面形状としているが、図６に示した断面形状、あるいは図９に示した断面形状であってもよい。
この例では、柵受け部材４４は、略垂直円筒状をなしている基体部４４Ａと、その基体部４４Ａから側方に突出する差し込み部４４Ｂとを一体に形成し、且つ基体部４４Ａに、柵部材２６の下端突出軸２６Ａが挿入される軸孔４４Ｃを形成したものとされている。ここで、差し込み部４４Ｂは、その先端部が拡大頭部４４Ｂaとなっている。
【００４９】
そして図１３に示すように、差し込み部４４Ｂの先端の拡大頭部４４Ｂaが長辺側分割フレーム片１６１の溝部１６１Ｂにおける拡大された内奥部１６１Ｂa内に位置するように、差し込み部４４Ｂが溝部１６１Ｂに挿入されている。このような構成によって、柵受け部材４４は、長辺側分割フレーム片１６１の長さ方向にスライドさせることにより位置調整可能で、且つ長辺側分割フレーム片１６１の溝部１６１Ｂからその開放側に抜け落ちることが阻止されるようになっている。そのほかの長辺側分割フレーム片１６２，１６３に対する柵受け部材４４の取り付け状況も、同様である。
なお柵受け部材４４も、アルミニウム合金の押出し材から削り出して作ることが可能であるが、アルミニウム合金の鋳造材や鍛造材、展伸材を用いてもよい。
【００５０】
このような構成によれば、柵受け部材４４の位置を調整することによって、昇降フレーム１６の長さ方向に棚部材２６の取り付け位置を調整することができる。ここで、本実施形態では、一対の長辺部１６Ａ、１６Ｂを構成する長辺側分割フレーム片１６１、１６２、１６３をスライド調整した場合、各柵受け部材４４の位置が固定されていれば、複数の柵受け部材４４の相互の間隔が変化して、柵部材２６の下端突出軸２６Ａの位置が柵受け部材４４の位置に合致しなくなり、柵部材２６を取り付けることができなくなることが懸念されるが、柵受け部材４４の位置を調整することによって、このような事態が生じることを防止できる。
【００５１】
また例えば、ベッド利用者（被介護者）の離床時、入床時などにおける動作の習慣や癖、あるいはベッド利用者の就寝中の動き、さらには介護者の都合、またベッド設置個所の制約などに応じて、柵部材の位置を調整することができる。
【００５２】
柵受け部材４４の形状は、図１３に示す形状に限らないことはもちろんであり、基体部４４Ａの形状を異ならせた二つの例を、それぞれ図１４、図１５に示す。
【００５３】
さらに柵受け部材４４は、その位置を調整した後に、その位置を保持し得るように構成することが望ましい。柵受け部材４４の調整位置を保持するための各構造例について、図１６〜図２０を参照して説明する。
【００５４】
図１６に示す第１の例では、例えば長辺側分割フレーム片１６１の溝部１６１Ｂにおける開放端側の下側の上面に間隔を置いて複数の凹部４８を形成しておき、柵受け部材４４の差し込み部４４Ｂを、いずれかの凹部４８に嵌め込むことによって、調整位置を保持し得るように構成している。
【００５５】
また図１７、図１８に示す第２の例では、柵受け部材４４の基体部４４Ａに、その両側に突出する突片部４４Ｄを形成しておき、一方長辺側分割フレーム片１６１における溝部１６１Ｂの内奥壁部１６１Ｂcにネジ穴(図示省略)を形成しておき、ネジ５２によって突片部４４Ｄを固定する構成としている。この場合、図示してはいないが、上記のネジ穴を、長辺側分割フレーム片１６１の長さ方向に間隔を置いて３以上の複数個形成しておくことによって、柵受け部材４４の位置を調整することができる。
【００５６】
また図１９、図２０に示す第３の例では、柵受け部材４４の基体部４４Ａに、その下端付近から水平方向に延出する延出板部４４Ｄを形成しておき、且つその延出板部５４に上下方向に貫通するネジ穴５６を形成して、ネジ５８によって長辺側分割フレーム片１６１の下面に延出板部４４Ｄを押圧保持する構成とされている。
【００５７】
なお以上の実施形態においては、昇降フレームにおける少なくとも一対の長辺部のそれぞれが、長さ方向に３分割されている構成としているが、場合によっては長辺部のそれぞれを２分割した構成としてもよい。また以上の実施形態では、昇降フレームにおける少なくとも一対の短辺部のそれぞれも、長さ方向に３分割されている構成としているが、場合によっては短辺部のそれぞれを２分割した構成としてもよい。
【００５８】
さらに前述の実施形態では、昇降フレーム１６の長辺部１６Ａ、１６Ｂを長さ方向に２又は３に分割して、その長さを調整可能に構成し、同時に短辺部１６Ｃ、１６Ｄをも、長さ方向に２又は３に分割して、その長さを調整可能に構成している。しかしながら場合によっては、長辺部１６Ａ、１６Ｂ及び短辺部１６Ｃ、１６Ｄをそれぞれ分割せず、それぞれ一連続の長辺部１６Ａ、１６Ｂ、短辺部１６Ｃ、１６Ｄによって構成してもよい。その場合の実施形態の昇降フレーム１６を、図２１に示す。
【００５９】
図２１において、それぞれ一連続の長辺部１６Ａ、１６Ｂ、短辺部１６Ｃ、１６Ｄによって長矩形状の昇降フレーム１６が形成されている。そして長辺部１６Ａ、１６Ｂのそれぞれに、その長さ方向に間隔を置いて複数の柵受け部材４４が設けられている。そしてこれらの柵受け部材４４は、長辺部１６Ａ、１６Ｂの長さ方向に位置調整可能（スライド可能）に取り付けられている。ここで柵受け部材４４の具体的な形状・構造、及び柵受け部材４４を長辺部１６Ａ、１６Ｂの長さ方向に位置調整可能に取り付けるための具体的手段は、前述の実施形態と同様であればよい。すなわち、長辺部１６Ａ、１６Ｂの外側面側にその長さ方向に沿って溝部を形成しておき、その溝部に柵受け部材の一部をスライド可能に挿入した構成とすればよい。またその柵受け部材の調整された位置を保持するための手段も、前述の実施形態と同様に構成することができる。
【００６０】
本発明のベッドにおける昇降フレーム等に使用されるアルミニウム合金の種類、成分組成は特に限定されるものではなく、例えばＡｌ−Ｍｎ系合金（３０００番系合金）、Ａｌ−Ｍｇ−Ｓｉ系合金（６０００番系合金）などを使用することができるが、強度や押出し性、耐食性などの観点からは、ＪＩＳ  ６Ｎ０１合金、ＪＩＳ  ６０６１合金、ＪＩＳ  ６０６３合金などが適当である。
【産業上の利用可能性】
【００６１】
本発明のベッドは、レンタルで提供される在宅介護用ベッドの最適ではあるが、介護施設や養護施設で使用される介護用ベッド、あるいは病院の患者用ベッドなどとしても使用し得ることはもちろんである。
【符号の説明】
【００６２】
１２…床面、  １４…基部フレーム、  １６…昇降フレーム、  １８…昇降支持機構、  １６Ａ、１６Ｂ…長辺部、  １６Ｃ、１６Ｄ…短辺部、  ２６…柵部材、  ４４…柵受け部材。
【図１】
2016131629.tif 000003
【図２】
2016131629.tif 000004
【図３】
2016131629.tif 000005
【図４】
2016131629.tif 000006
【図５】
2016131629.tif 000007
【図６】
2016131629.tif 000008
【図７】
2016131629.tif 000009
【図８】
2016131629.tif 000010
【図９】
2016131629.tif 000011
【図１０】
2016131629.tif 000012
【図１１】
2016131629.tif 000013
【図１２】
2016131629.tif 000014
【図１３】
2016131629.tif 000015
【図１４】
2016131629.tif 000016
【図１５】
2016131629.tif 000017
【図１６】
2016131629.tif 000018
【図１７】
2016131629.tif 000019
【図１８】
2016131629.tif 000020
【図１９】
2016131629.tif 000021
【図２０】
2016131629.tif 000022
【図２１】
2016131629.tif 000023
【図２２】
2016131629.tif 000024